(57)【要約】【課題】  拡散光源から放射される光の方向を制御して指向性を与えることができる、簡単な構造で光の利用効率の良い配光制御装置及びそれを用いた面光源装置の提供。【解決手段】  軸線方向に延びる中空部を有する透明なアクリル樹脂製の円柱部材１と、この円柱部材１の中空部内に軸線方向に延びるように配置された蛍光管２とを有し、中空部の横断面の輪郭形状が三角形である。【選択図】      図１
2006108038.tif 000002
【特許請求の範囲】
【請求項１】
軸線方向に延びる中空部を有する透明な円柱部材と、
この円柱部材の中空部内に上記軸線方向に延びるように配置された光源と、を有し、
上記円柱部材の中空部の横断面の輪郭形状が、多角形、部分円又は部分楕円である
ことを特徴とする配光制御装置。
【請求項２】
上記円柱部材の中空部の輪郭形状を構成する内側表面のうち、上記多角形の少なくとも一辺を除く部分に、又は、上記部分円又は部分楕円の円弧部分の少なくとも一部分に、選択的に反射手段を設けたことを特徴とする、請求項１記載の配光制御装置。
【請求項３】
上記円柱部材は、光を散乱させる粒子を含有し、或いは、その外面に凹凸を有する、請求項１又は２記載の配光制御装置。
【請求項４】
片面に複数の溝を有する反射板と、
上記反射板の各溝の正面にそれぞれ配置され、それぞれが軸線方向に延びる中空部を有する透明な複数の円柱部材と、
上記円柱部材の各々の中空部内に上記軸線方向に延びるように配置された光源と、を有し、
上記円柱部材の各々の中空部の横断面における輪郭形状が、多角形、部分円又は部分楕円である
ことを特徴とする面光源装置。
【発明の詳細な説明】
【技術分野】
【０００１】
本発明は、拡散光源から放射される拡散光の方向を制御して、拡散光に指向性を与える配光制御装置に関し、より詳細には、蛍光灯のような管状又は線状の拡散光源を用いつつ、所望の指向性を与えた光を放出する配光制御装置及びそれを用いた面光源装置に関する。
【背景技術】
【０００２】
従来から照明用光源として、例えば、蛍光管が広く利用されている。蛍光管の内面には蛍光物質が塗られており、これが発光するため、蛍光管の管球表面全体からあらゆる方向に拡散光が放射される。さらに、蛍光灯を天井に設置して室内照明に用いる場合や、照明看板にバックライトとして用いるような場合には、光の利用効率を上げるため、背面に向かう光を反射板（リフレクター）で前方へ反射させることが普通に行われている。
【０００３】
そのような光の放射方向を制御する手段として、従来から種々の装置が提案されている。例えば、蛍光管の背面に光源を焦点とした放物鏡をリフレクターとして配置して、背面に向かう光を前面に戻す工夫をしたもの（特許文献１）や、更に前面に向かう光も部分的に遮光するもの（特許文献２及び３）が提案されている。
【０００４】
しかしながら、例えば、特許文献１に記載の従来技術では、放物鏡によって、背面に向かう拡散光を法物線の準線に平行な方向に反射して配光させることはできても、拡散光源から前方に直接向かう光は拡散光のままであり、拡散光に所望の指向性を与えることは困難である。また、例えば、特許文献２又は３に記載の従来技術のように、特定の方向に向かう光を遮蔽したのでは、光の利用効率が悪くなってしまう。
【０００５】
【特許文献１】特開２００１−２９７６１３号公報
【特許文献２】特開昭５５−１５１２６号公報
【特許文献３】特開昭５５−１３３００８号公報
【発明の開示】
【発明が解決しようとする課題】
【０００６】
そこで、本発明は、拡散光源から放射される光の方向を制御して指向性を与えることができる、簡単な構造で光の利用効率の良い配光制御装置及びそれを用いた面光源装置を提供することを目的としている。
【課題を解決するための手段】
【０００７】
上記の目的を達成するため、本発明の配光制御装置は、軸線方向に延びる中空部を有する透明な円柱部材と、この円柱部材の中空部内に軸線方向に延びるように配置された光源と、を有し、円柱部材の中空部の横断面の輪郭形状が、多角形、部分円又は部分楕円であることを特徴としている。
なお、ここで、部分円とは、円の円周上の二点を結ぶ直線と、残りの円弧部分とから構成される形状をいい、部分楕円とは、楕円の円周上の二点を結ぶ直線と、残りの円弧部分とから構成される形状をいう。
【０００８】
このように構成された本発明の配光制御装置によれば、中空の円柱部材を用いることにより、簡単な構成で、拡散光源から放射される拡散光の方向を制御して、拡散光に指向性を与えることができる。その上、光をスリット等で遮光することなく、拡散光を一つ又は複数の所望の方向に向けることができるので、高い光の利用効率を得ることができる。
【０００９】
また、本発明において、好ましくは、円柱部材の中空部の輪郭形状を構成する内側表面のうち、多角形の少なくとも一辺を除く部分に、又は、部分円又は部分楕円の円弧部分の少なくとも一部分に、選択的に反射手段を設けている。
これにより、反射手段を設けていない一つ又は複数の方向へより強い指向性を拡散光に与えることができる。
【００１０】
また、本発明において、好ましくは、円柱部材は、光を散乱させる粒子を含有し、或いは、その外面に凹凸を有する。
これにより、指向性を緩和して、所望の拡散程度を有する光を容易に得ることができる。
【００１１】
また、本発明の面光源装置は、片面に複数の溝を有する反射板と、反射板の各溝の正面にそれぞれ配置され、それぞれが軸線方向に延びる中空部を有する透明な複数の円柱部材と、円柱部材の各々の中空部内に軸線方向に延びるように配置された光源と、を有し、円柱部材の各々の中空部の横断面における輪郭形状が、多角形、部分円又は部分楕円であることを特徴としている。
【００１２】
このように構成された本発明の面光源装置によれば、請求項１にかかる配光制御装置と反射板とを組み合わせることにより、指向性の高い、光を有効利用することができる面光源装置が得られる。
【発明の効果】
【００１３】
本発明によれば、拡散光源から放射される光の方向を制御して指向性を与えることができる、簡単な構造で光の利用効率の良い配光制御装置及びそれを用いた面光源装置を提供することができる。
【発明を実施するための最良の形態】
【００１４】
以下、添付の図面を参照して、本発明の配光制御装置及びそれを用いた面光源装置の実施形態を説明する。
（第１実施形態）
まず、図１及び図２（Ａ）を参照して、第１実施形態の配光制御装置について説明する。図１は、第１実施形態の配光制御装置の斜視図である。また、図２は、配光制御装置の長手軸線方向に直交する横断面図である。図１に示すように本実施形態の配光制御装置は、軸線方向に延びる中空部を有する透明な円柱部材１と、この円柱部材１の中空部内に軸線方向に延びるように配置された光源２とを有し、中空部の横断面の輪郭形状は正三角形である。
【００１５】
本実施形態では、円柱部材１は、アクリル樹脂の異型押出成形法により形成され、軸線方向の長さ２３ｃｍ、外径１５ｍｍである。また、中空部の横断面の正三角形の一辺は７ｍｍである。そして、この中空部に、光源として直径３ｍｍの冷陰極管ランプ２が挿入されている。冷陰極管ランプ２は、軸線方向に直交する横断面内で、全周方向に拡散光を放射する。
【００１６】
ここで、図６（Ａ）に、第１実施形態の配光制御装置から放射される光線のシミュレーション結果を示す。図６（Ａ）に示すように、黒色の線で表される光線は、主に、中空部の正三角形の各辺に垂直な方向に選択的に放射される。したがって、冷陰極管ランプ２から放射された拡散光が、実質的に三方向に配光されることが分かる。
【００１７】
なお、光源２が中空部内に収まれば、光源２の相対的な大きさは特に制限されない。ただし、中空部の輪郭に対して光源２が小さい方が、一般に、指向性が高くなる。また、光源２の位置も、中心軸線上に限定されない。ただし、光源が中心軸線上にあれば、拡散光を複数の方向に選択的に配光する場合に、一般に、拡散光を複数の方向の各々に偏りなく均等に配光することができる。
【００１８】
また、円柱部材１には、光を散乱させる粒子を含有させ、或いは、その外周に沿って凹凸を設けてもよい。これより、例えば、軸線方向に垂直な横断面内における、拡散光の広がりが３６０度であるのに対して、本実施形態の配光制御装置において配光された一つの方向の広がりが±３０度である場合に、更に、±１０度程度の拡散性を付与することができる。その結果、例えば、配光制御装置を用いた面光源装置において、明るさの斑を改善してより品位を高めることができる。
【００１９】
（第２実施形態）
次に、図２（Ｂ）を参照して、第２実施形態の配光制御装置について説明する。図２（Ｂ）は、配光制御装置の長手軸線方向に直交する横断面図である。第２実施形態の配光制御装置は、円柱部材１の外径が１０ｍｍである点を除いて、上述の第１実施形態のものと同一構造である。
【００２０】
ここで、図６（Ｂ）に、第２実施形態の配光制御装置から放射される光線のシミュレーション結果を示す。図６（Ｂ）に示すように、光は、主に、中空部の三角形の各辺に垂直な方向に選択的に放射される。したがって、冷陰極管ランプ２から放射された拡散光が、実質的に三方向に配光されることが分かる。
【００２１】
（第３実施形態）
次に、図２（Ｃ）を参照して、第３実施形態の配光制御装置について説明する。図２（Ｃ）は、配光制御装置の長手軸線方向に直交する横断面図である。第３実施形態の配光制御装置は、中空部の横断面における輪郭形状が、二辺が７ｍｍ、底辺が４ｍｍの二等辺三角形である点を除いて、上述の第２実施形態のものと同一構造である。
【００２２】
ここで、図６（Ｃ）に、第３実施形態の配光制御装置から放射される光線のシミュレーション結果を示す。図６（Ｃ）に示すように、光は、主に、中空部の三角形の各辺に垂直な方向に選択的に放射される。したがって、冷陰極管ランプ２から放射された拡散光が、実質的に三方向に配光されることが分かる。
【００２３】
（第４実施形態）
次に、図２（Ｄ）を参照して、第４実施形態の配光制御装置について説明する。図２（Ｄ）は、配光制御装置の長手軸線方向に直交する横断面図である。第４実施形態の配光制御装置は、中空部の横断面における輪郭形状が一辺５ｍｍの正方形であり、また、冷陰極管ランプ２の直径が４．２ｍｍである点を除いて、上述の第２実施形態のものと同一構造である。
【００２４】
ここで、図６（Ｄ）に、第４実施形態の配光制御装置から放射される光線のシミュレーション結果を示す。図６（Ｄ）に示すように、光は、主に、中空部の正方形の各辺に垂直な方向に選択的に放射される。したがって、冷陰極管ランプ２から放射された拡散光が、実質的に四方向に配光されることが分かる。
【００２５】
（第５実施形態）
次に、図３（Ａ）を参照して、第５実施形態の配光制御装置について説明する。図３（Ａ）は、配光制御装置の長手軸線方向に直交する横断面図である。第５実施形態の配光制御装置は、冷陰極管ランプ２の直径が３ｍｍである点を除いて、上述の第４実施形態のものと同一構造である。
【００２６】
ここで、図７（Ａ）に、第５実施形態の配光制御装置から放射される光線のシミュレーション結果を示す。図７（Ａ）に示すように、光は、主に、中空部の正方形の各辺に垂直な方向に選択的に放射される。したがって、冷陰極管ランプ２から放射された拡散光が、実質的に四方向に配光されることが分かる。なお、本実施形態では、上述した第４実施形態よりも冷陰極管ランプ２の直径が小さいため、光の指向性が高くなっている。
【００２７】
（第６実施形態）
次に、図３（Ｂ）を参照して、第６実施形態の配光制御装置について説明する。図３（Ｂ）は、配光制御装置の長手軸線方向に直交する横断面図である。第６実施形態の配光制御装置は、冷陰極管ランプ２の直径が２ｍｍである点を除いて、上述の第４実施形態のものと同一構造である。
【００２８】
ここで、図７（Ｂ）に、第６実施形態の配光制御装置から放射される光線のシミュレーション結果を示す。図７（Ｂ）に示すように、光は、主に、中空部の正方形の各辺に垂直な方向に選択的に放射される。したがって、冷陰極管ランプ２から放射された拡散光が、実質的に四方向に配光されることが分かる。なお、本実施形態では、上述した第５実施形態よりも冷陰極管ランプ２の直径が更に小さいため、光の指向性が一層高くなっている。
【００２９】
（第７実施形態）
次に、図３（Ｃ）を参照して、第７実施形態の配光制御装置について説明する。図３（Ｃ）は、配光制御装置の長手軸線方向に直交する横断面図である。第７実施形態の配光制御装置は、中空部の横断面における輪郭形状が五角形である点を除いて、上述の第６実施形態のものと同一構造である。
【００３０】
ここで、図７（Ｃ）に、第７実施形態の配光制御装置から放射される光線のシミュレーション結果を示す。図７（Ｃ）に示すように、光は、主に、中空部の五角形の各辺に垂直な方向に選択的に放射される。したがって、冷陰極管ランプ２から放射された拡散光が、実質的に五方向に配光されることが分かる。
【００３１】
（第８実施形態）
次に、図３（Ｄ）を参照して、第８実施形態の配光制御装置について説明する。図３（Ｄ）は、配光制御装置の長手軸線方向に直交する横断面図である。
本実施形態では、円柱部材１は、アクリル樹脂の異型押出成形法により形成され、軸線方向の長さ２３ｃｍ、外径１０ｍｍである。また、中空部の横断面における輪郭形状は、直角を挟む長さ４．３ｍｍの二辺を有する直角三角形である。さらに、直角三角形の斜辺を除く、９０度で相対する二辺に、リフレクター３を貼り付けている。リフレクター３は、反射率が９０％以上のアルミニウム、銀等の金属薄膜ないしは金属酸化物等の誘電体多層膜からなるプラスチックシート又はフィルムが好ましい。本実施形態では、反射率が９６％のリフレクター３を用いる。
そして、この中空部に、光源として直径２ｍｍの冷陰極管ランプ２が挿入されている。冷陰極管ランプ２は、軸線方向に直交する横断面内で、全周方向に拡散光を放射する。そして、光源２からリフレクター３を貼り付けた二辺に向かう光が反射される。
【００３２】
ここで、図７（Ｄ）に、第７実施形態の配光制御装置から放射される光線のシミュレーション結果を示す。図７（Ｄ）に示すように、光は、主に、中空部の直角三角形の、リフレクターの設けられていない斜辺に垂直な方向にのみ選択的に放射される。したがって、冷陰極管ランプ２から放射された拡散光が、実質的に一方向に配光されることが分かる。
なお、図７（Ｄ）においては、リフレクター３の図示を省略する。また、以下の実施形態においても、シミュレーション結果においてリフレクターの図示を省略する。
【００３３】
（第９実施形態）
次に、図４（Ａ）を参照して、第９実施形態の配光制御装置について説明する。図４（Ａ）は、配光制御装置の長手軸線方向に直交する横断面図である。第９実施形態の配光制御装置は、中空部の横断面における輪郭形状が一辺６ｍｍの正方形であり、且つ、正方形の四辺のうちの一辺を除く、残りの三辺に反射率９６％のリフレクター３を貼り付けている点を除いて、上述の第８実施形態のものと同一構造である。そして、光源２から放射された拡散光のうち、リフレクター３を貼り付けた三辺に向かう光が反射される。
【００３４】
ここで、図８（Ａ）に、第９実施形態の配光制御装置から放射される光線のシミュレーション結果を示す。図８（Ａ）に示すように、光は、主に、中空部の正方形の、リフレクター３の設けられていない一辺に垂直な方向に選択的に放射される。したがって、冷陰極管ランプ２から放射された拡散光が、実質的に一方向に配光されることが分かる。
【００３５】
（第１０実施形態）
次に、図４（Ｂ）を参照して、第１０実施形態の配光制御装置について説明する。図４（Ｂ）は、配光制御装置の長手軸線方向に直交する横断面図である。第１０実施形態の配光制御装置は、中空部の横断面における輪郭形状が、半円形の部分円であり、且つ、円弧部分に反射率９６％のリフレクター３が貼り付けられている点を除いて、上述の第９実施形態のものと同一構造である。そして、光源２から放射された拡散光のうち、リフレクター３を貼り付けた円弧部分に向かう光が反射される。
なお、本実施形態では、中空部の横断面の輪郭形状を半円形としたが、輪郭形状を、半円形以外の部分円としてもよいし、部分楕円としてもよい。
【００３６】
ここで、図８（Ｂ）に、第１０実施形態の配光制御装置から放射される光線のシミュレーション結果を示す。図８（Ｂ）に示すように、光は、主に、中空部の半円形の、リフレクター３の設けられていない一辺に垂直な方向に選択的に放射される。したがって、冷陰極管ランプ２から放射された拡散光が、実質的に一方向に配光されることが分かる。
【００３７】
（第１１実施形態）
次に、図４（Ｃ）を参照して、第１１実施形態の配光制御装置について説明する。図４（Ｃ）は、配光制御装置の長手軸線方向に直交する横断面図である。第１１実施形態の配光制御装置は、中空部の横断面における輪郭形状の正方形の四辺のうち、対向する二辺にのみ反射率９６％のリフレクター３を選択的に貼り付けている点を除いて、上述の第９実施形態のものと同一構造である。そして、光源２から放射された拡散光のうち、リフレクター３を貼り付けた二辺に向かう光が反射される。
【００３８】
ここで、図８（Ｃ）に、第１１実施形態の配光制御装置から放射される光線のシミュレーション結果を示す。図８（Ｃ）に示すように、光は、主に、中空部の正方形の、リフレクター３の設けられていない残りの対向する二辺に垂直な方向に選択的にそれぞれ放射される。したがって、冷陰極管ランプ２から放射された拡散光が、実質的に正反対の二方向に配光されることが分かる。
【００３９】
（第１２実施形態）
次に、図４（Ｄ）を参照して、第１２実施形態の配光制御装置について説明する。図４（Ｄ）は、配光制御装置の長手軸線方向に直交する横断面図である。第１２実施形態の配光制御装置は、中空部の横断面における輪郭形状の正方形の四辺のうち、隣り合う二辺にのみ反射率９６％のリフレクター３を選択的に貼り付けている点を除いて、上述の第１１実施形態のものと同一構造である。そして、光源２から放射された拡散光のうち、リフレクター３を貼り付けた隣り合う二辺に向かう光が反射される。
【００４０】
ここで、図８（Ｄ）に、第１２実施形態の配光制御装置から放射される光線のシミュレーション結果を示す。図８（Ｄ）に示すように、光は、主に、中空部の正方形の、リフレクター３の設けられていない残りの隣り合う二辺に垂直な方向に選択的にそれぞれ放射される。したがって、冷陰極管ランプ２から放射された拡散光が、実質的に、直交する二方向に配光されることが分かる。
【００４１】
（第１３実施形態）
次に、図５（Ａ）を参照して、第１３実施形態として、本発明の配光制御装置を用いた面光源装置の一例を説明する。図５（Ａ）示すように、本実施形態の面光源装置は、片面に複数の溝を有する反射板４と、この反射板４の各溝の正面にそれぞれ配置された複数の配光制御装置１０とから構成される。
【００４２】
本実施形態では、反射板４の片面に、５０ｍｍピッチで、横断面の輪郭が湾曲した凹部である溝を有する反射面５が形成されている。この反射面５には、反射率９７％のリフレクターが設けられている。
【００４３】
また、配光制御装置１０の円柱部材１の各々は、それぞれアクリル樹脂の異型押出成形法により形成され、それぞれの軸線方向の長さ２３ｃｍ、外径１５ｍｍである。また、円柱部材１の各々の中空部の横断面における輪郭形状は、それぞれ一辺７ｍｍの正三角形である。そして、この中空部の各々に、光源として直径４．２ｍｍの冷陰極管ランプ２がそれぞれ挿入されている。冷陰極管ランプ２は、軸線方向に直交する横断面内で、全周方向に拡散光を放射する。そして、冷陰極管ランプ２から反射板４の反射面５に向かう光が反射される。
【００４４】
ここで、図９（Ａ）に、第１３実施形態の配光制御装置から放射される光線のシミュレーション結果を示す。図９（Ａ）に示すように、光は、主に、中空部の輪郭の正三角形の各辺に垂直な三方向にそれぞれ放射される。そして、三方向のうち、反射板４と反対側の正面を向いている一辺からは、正面方向へ直接放射される。また、残りの二辺からそれぞれ放射された光は、反射板４の反射面で反射されて、正面方向へ間接的に放射される。このため、冷陰極管ランプ２から放射される光のほとんどが、正面方向へ配光されることとなる。その結果、例えば、中空部材１を用いない場合に、５００〜１７０００カンデラ／ｍ2である場合に、本実施形態では、１００００〜２００００カンデラ／ｍ2の光度を実現することができ、しかも、ほとんどの部分で１６０００〜２００００カンデラ／ｍ2という均一な光度を実現することができる。
【００４５】
（第１４実施形態）
次に、図５（Ｂ）を参照して、第１４実施形態として、本発明の配光制御装置を用いた面光源装置の他の一例を説明する。図５（Ｂ）示すように、本実施形態の面光源装置は、片面に複数の溝を有する反射板４と、この反射板４の各溝の正面にそれぞれ配置した配光制御装置１０とから構成される。
【００４６】
本実施形態では、反射板４の片面には、５０ｍｍピッチで、横断面の輪郭が直角プリズム状のＶ字谷である溝を有する反射面５が形成されている。この反射面５には、反射率９７％のリフレクターが設けられている。
【００４７】
また、本実施形態における配光制御装置１０は、中空部の輪郭形状が一辺５ｍｍの正方形である点と、冷陰極管ランプ２の直径が３ｍｍである点とを除いて、上述の第１３実施形態における配光制御装置と同一構造である。
【００４８】
ここで、図９（Ｂ）に、第１３実施形態の配光制御装置から放射される光線のシミュレーション結果を示す。図９（Ｂ）に示すように、光は、主に、中空部の輪郭の正方形の各辺に垂直な四方向にそれぞれ放射される。そして、四方向のうち、正面方向を向いている一辺からは、正面方向へ直接放射される。また、残りの三辺から放射された光は、反射板４の反射面５で反射されて、正面方向へ間接的に放射される。その結果、冷陰極管ランプ２から放射される光のほとんどが正面方向へ配光されることとなる。その結果、高い光度で均一な面発光を実現することができる。
【００４９】
（比較例１）
次に、比較例１について説明する。
比較例１では、上述の第１実施形態の配光制御装置のうち、円柱部材１の代わりに、横断面が内外共に円形の単なる円筒パイプを用いている。
ここで、図１０（Ａ）に、比較例１における光線のシミュレーション結果を示す。図１０（Ａ）に示すように、比較例１では、光源２からの拡散光は等方向に拡散し、何ら配光していない。
【００５０】
（比較例２）
次に、比較例２について説明する。
比較例２では、上述の第１実施形態の配光制御装置のうち、円柱部材１の代わりに、横断面の外形が四角で、内形が円形の単なる角柱パイプを用いている。
ここで、図１０（Ｂ）に、比較例２における光線のシミュレーション結果を示す。図１０（Ｂ）に示すように、比較例２でも、光源２からの拡散光は等方向に拡散し、何ら配光していない。
【００５１】
（比較例３）
次に、比較例３について説明する。
比較例３では、上述の第１４実施形態の面光源装置のうち、円柱部材１を除いている。この場合、冷陰極管ランプ２の部分のみは明るいものの、その他の部分からの光がほとんどなく、縞状に明るい、光度の不均一な光源となった。
【００５２】
上述した各実施形態においては、本発明を特定の条件で構成した例について説明したが、本発明は種々の変更及び組み合わせを行うことができ、これに限定されるものではない。例えば、上述した実施形態においては、拡散光源として、冷陰極管ランプを中空部に挿入したレイについて説明したが、本発明では、例えば、熱陰極管、等の管状の蛍光管光源や、線状に配列したＬＥＤ光源、或いは、管状白熱灯といった管状光源を用いてもよい。
【００５３】
また、例えば、上述した実施形態では、アクリル樹脂製の円柱部材を用いたが、本発明では、例えば、ＭＳ樹脂、ポリスチレン樹脂、ポリカーボネート樹脂、シクロオレフィン樹脂、脂環式ポリオレフィン樹脂、環状ポリオレフィン樹脂、脂環式アクリル樹脂等の透明プラスチック製の円柱部材や、無機ガラス製の円柱部材を用いてもよい。また、円柱部材は、実質的に光を通せばよく、無色透明に限らず、有色透明でもよい。
【産業上の利用可能性】
【００５４】
本発明の配光制御装置及びそれを用いた面光源装置は、液晶ディスプレイや液晶ＴＶ用の直下型のバックライト、カーシャステン、天井面照明を始めとする、各種の面光源照明用光源として利用の可能性がある。
【図面の簡単な説明】
【００５５】
【図１】第１実施形態の配光制御装置の斜視図である。
【図２】（Ａ）〜（Ｄ）は、それぞれ、第１〜４実施形態の配光制御装置の横断面図である。
【図３】（Ａ）〜（Ｄ）は、それぞれ、第５〜８実施形態の配光制御装置の横断面図である。
【図４】（Ａ）〜（Ｄ）は、それぞれ、第９〜１２実施形態の配光制御装置の横断面図である。
【図５】（Ａ）及び（Ｂ）は、それぞれ、第１３及び１４実施形態の面光源装置の横断面図である。
【図６】（Ａ）〜（Ｄ）は、それぞれ、第１〜４実施形態の配光制御装置の光線のシミュレーション結果である。
【図７】（Ａ）〜（Ｄ）は、それぞれ、第５〜８実施形態の配光制御装置の光線のシミュレーション結果である。
【図８】（Ａ）〜（Ｄ）は、それぞれ、第９〜１２実施形態の配光制御装置の光線のシミュレーション結果である。
【図９】（Ａ）及び（Ｂ）は、それぞれ、第１３及び１４実施形態のの面光源装置の光線のシミュレーション結果である。
【図１０】（Ａ）及び（Ｂ）は、それぞれ、比較例１及び２の光線のシミュレーション結果である。
【符号の説明】
【００５６】
１  円柱部材
２  冷陰極管ランプ
３  リフレクター
４  反射板
５  反射面
１０  配光制御装置
【図１】
2006108038.tif 000003
【図２】
2006108038.tif 000004
【図３】
2006108038.tif 000005
【図４】
2006108038.tif 000006
【図５】
2006108038.tif 000007
【図６】
2006108038.tif 000008
【図７】
2006108038.tif 000009
【図８】
2006108038.tif 000010
【図９】
2006108038.tif 000011
【図１０】
2006108038.tif 000012